(57)【要約】      （修正有）【課題】簡単な構造で、安価に、茶葉を茶葉収容装置に均一に投入する装置で、茶葉収容装置に均一に投入されているがどうかを監視する手間を省くことができる装置を提供する。【解決手段】茶樹１１を跨いで走行する門型枠の走行型機体２と、門型枠下方に設けた摘採装置３と、摘採した茶葉を収容する茶葉収容装置５と、摘採した茶葉を茶葉収容装置へ運ぶための輸送ダクト４とより構成するとともに、輸送ダクト４から飛ばされた茶葉を茶葉収容装置５の全体へ略均一に収容するための茶葉散布装置６を設ける。【選択図】図１
2006055139.tif 000002
【特許請求の範囲】
【請求項１】
茶樹を跨いで走行する門型枠の走行型機体と、門型枠下方に設けた摘採装置と、摘採した茶葉を収容する茶葉収容装置と、摘採した茶葉を茶葉収容装置へ運ぶための輸送ダクトとより構成するとともに、輸送ダクトから飛ばされた茶葉を茶葉収容装置の全体へ略均一に収容するための茶葉散布装置を設けることを特徴とする走行型茶葉摘採装置。
【請求項２】
茶葉収容装置の上部に、垂直軸によって回転する散布羽根よりなる茶葉散布装置を設けることを特徴とする請求項１記載の走行型茶葉摘採装置。
【請求項３】
茶葉収容装置の上部に、前後に移動する散布羽根よりなる茶葉散布装置を設けることを特徴とする請求項１記載の走行型茶葉摘採装置。
【発明の詳細な説明】
【技術分野】
【０００１】
本発明は、茶樹を跨ぎ、畝間を走行しながら茶葉の摘採を行なう装置に関するものであり、詳しくは、摘採した茶葉の収容に関するものである。
【背景技術】
【０００２】
走行型茶葉摘採装置は、茶樹を跨いで走行する門型枠の走行型機体と、門型枠下方に設けた摘採装置と、摘採した茶葉を収容する茶葉収容装置と、摘採した茶葉を茶葉収容装置へ運ぶための輸送ダクトとより構成しており、茶葉収容装置には、袋取り方式とコンテナ方式の２種類ある。袋取り方式には、横型と縦型があり、横型の場合は茶葉収容袋の開口を横に向けて設置し、左右２個の茶葉収容袋に茶葉を収容し、２個の茶葉収容袋がいっぱいになったら茶葉収容袋を取り替える。縦型の場合は茶葉収容袋の開口を上に向けて設置し、２個より多い茶葉収容袋（通常６〜１０個）の開口を上にして茶葉を均一に収容し、全ての茶葉収容袋がいっぱいになったら、茶葉収容袋を取り替える。コンテナ方式の場合は、コンテナの中に茶葉を収容し、コンテナがいっぱいになったら、コンテナから茶葉を取り出す。
【０００３】
茶葉収容装置が縦型の袋取り方式の場合、茶葉収容装置の上部の１ヶ所に輸送ダクトから茶葉を落とし、茶葉収容袋を装着した茶葉収容装置を回転させて、茶葉収容袋に均一に投入する方法（例えば、特許文献１参照）や、茶葉収容袋の開口に分離シャッターを設け、開閉を切り替えることにより、任意の茶葉収容袋に投入する方法（例えば、特許文献２参照）があった。
【特許文献１】特開平９−２３８５５１号公報
【特許文献２】特開２００３−７９２１９号公報
【発明の開示】
【発明が解決しようとする課題】
【０００４】
茶葉収容装置を回転させた場合、茶葉収容装置は円形なため、装置全体が大きくなり、コストも上がってしまう。分離シャッターを設けた場合、後ろが見えにくく、茶葉収容袋に茶葉を均一に入れるのが難しく、分離シャッターの開閉のために茶葉収容装置を監視する人工が必要となり、作業能率が悪い。
【課題を解決するための手段】
【０００５】
本発明の第１手段の走行型茶葉摘採装置は、茶樹を跨いで走行する門型枠の走行型機体と、門型枠下方に設けた摘採装置と、摘採した茶葉を収容する茶葉収容装置と、摘採した茶葉を茶葉収容装置へ運ぶための輸送ダクトとより構成するとともに、輸送ダクトから飛ばされた茶葉を茶葉収容装置の全体へ略均一に収容するための茶葉散布装置を設ける。第２手段の走行型茶葉摘採装置は、第１手段において、茶葉収容装置の上部に、垂直軸によって回転する散布羽根よりなる茶葉散布装置を設ける。第３手段の走行型茶葉摘採装置は、第１手段において、茶葉収容装置の上部に、前後に移動する散布羽根よりなる茶葉散布装置を設ける。
【発明の効果】
【０００６】
本発明の装置により、簡単な構造で、安価に、茶葉を茶葉収容装置に均一に投入することができる。茶葉収容装置に均一に投入されているかを監視する手間を省くことが出来、摘採作業の効率を上げることが出来る。
【発明を実施するための最良の形態】
【０００７】
図１は走行型茶葉摘採装置の側面図、図２は正面図である。１は走行装置、２は機体であり、門型の形状になっている。３は摘採装置であり、摘採装置３で摘採した茶葉を、ファン７で発生した風で送風ダクト８から摘採装置３へ吹き付け、輸送ダクト４により茶葉を吹き上げて、茶葉収容装置５へ収容する。このとき、送風により茶葉は茶葉収容装置５の一番奥へ飛ばされ、手前（入口側）には収容されにくい。そこで、茶葉収容装置５の半分より手前に茶葉散布装置６を取り付ける。茶葉散布装置６に当たることにより、茶葉は茶葉収容装置５の手前（入口側）に収容される。茶葉散布装置６を調節することにより、茶葉収容装置５の任意の位置に茶葉を収容することが出来る。また、調節しなくても、茶葉散布装置６を断続的、または連続的に作動することにより、満遍なく、均一に茶葉を茶葉収容装置５に収容することが出来る。茶葉収容装置５は、前後方向に３個、左右に２個の合計６個の茶葉収容袋を備えるタイプであるが、茶葉収容袋の個数はこの限りではなく、また、コンテナの茶葉収容装置５でも同様である。
【実施例１】
【０００８】
図３、４に実施例１の茶葉散布装置６を示す。本実施例は、茶葉収容装置５上部に、垂直軸２１を中心に回転する散布羽根２２を備えた茶葉散布装置６の例である。散布羽根２２は駆動装置により、回転する。この駆動装置は走行型茶葉摘採装置のエンジン９から利用しても、専用に設けてもよい。散布羽根２２が輸送ダクト４の進行方向と略垂直のときは、風送されたほとんどの茶葉１２が散布羽根２２に当たり、輸送ダクト４側の茶葉収容袋Ａに入る。散布羽根２２が輸送ダクト４の進行方向に対して３０〜６０度の時は、茶葉１２は中央の茶葉収容袋Ｂに入る。散布羽根２２が輸送ダクト４の進行方向と略平行のときは、ほとんどの茶葉１２が散布羽根２２には当たらず、輸送ダクト４より一番はなれた茶葉収容袋Ｃに入る。散布羽根２２を連続的又は断続的に回すことで、全ての茶葉収容袋Ａ〜Ｃに茶葉を均一に収容する。散布羽根２２を一定の角度で停止して、一定の茶葉収容袋に茶葉１２を多く入れることも可能である。
【実施例２】
【０００９】
図５、６に実施例２の茶葉散布装置６を示す。本実施例の茶葉散布装置６は、輸送ダクとの風向きと対向する散布羽根２３よりなる例である。本散布装置２３は、駆動装置により前後に移動する。この駆動装置は走行型茶葉摘採装置のエンジン９から利用しても、専用に設けてもよい。散布羽根２３が（ア）の位置のときは、茶葉１２は散布羽根２３に当たり、茶葉収容袋Ａに入る。散布羽根２３が（イ）の位置のときは、茶葉１２は散布羽根２３に当たり、茶葉収容袋Ｂに入る。散布羽根２３が（ウ）の位置のときは、茶葉１２は散布羽根２３に当たり、茶葉収容袋Ｃに入る。散布羽根２３を連続的又は断続的に移動することで、全ての茶葉収容袋Ａ〜Ｃに茶葉を均一に収容する。散布羽根２３を一定の位置で停止して、一定の茶葉収容袋に茶葉１２を多く入れることも可能である。
【００１０】
実施例１、２では、袋取り方式の茶葉収容装置５で説明したが、コンテナ方式の茶葉収容装置５でも利用可能であり、コンテナ方式の茶葉収容装置５の茶葉を平らに収容することが出来る。
【図面の簡単な説明】
【００１１】
【図１】走行型茶葉摘採装置の側面図。
【図２】走行型茶葉摘採装置の正面図。
【図３】実施例１の茶葉収容装置の平面断面図。
【図４】実施例１の茶葉散布装置の側面断面図。
【図５】実施例２の茶葉収容装置の側面断面図。
【図６】実施例２の茶葉収容装置の平面断面図。
【符号の説明】
【００１２】
１    走行装置
２    機体
３    摘採装置
４    輸送ダクト
５    茶葉収容装置
６    茶葉散布装置
７    ファン
８    送風ダクト
９    エンジン
１０    茶葉収容袋
１１    茶樹
１２    茶葉
１３    ハンドル
２１    垂直軸
２２    散布羽根
２３    散布羽根
Ａ    茶葉収容袋
Ｂ    茶葉収容袋
Ｃ    茶葉収容袋
【図１】
2006055139.tif 000003
【図２】
2006055139.tif 000004
【図３】
2006055139.tif 000005
【図４】
2006055139.tif 000006
【図５】
2006055139.tif 000007
【図６】
2006055139.tif 000008